(57)【要約】      （修正有）【課題】  股間部に装着するときに、本体部の肌側表面に設けられた隆起部を臀裂部などへ確実に位置決めでき、着用後に身体の動きで本体部がずれても、隆起部と臀裂部などとの密着度を維持しやすい生理用ナプキンを提供する。【解決手段】  生理用ナプキン１は、液吸収層を有する本体部２と、本体部２の肌側表面に位置する隆起部３を有している。隆起部３は、前方本固定領域４１と後方本固定領域４２において本体部２に本固定され、中間部分が仮固定領域４３において、本体部２に仮固定されている。生理用ナプキン１を装着した状態で、下着のずれと共に本体部２が横方向へ位置ずれすると、隆起部３の中間部が本体部２から分離でき、隆起部３が臀裂部内などに密着した状態を維持できるようになる。【選択図】図８
2006341012.tif 000002
【特許請求の範囲】
【請求項１】
液を吸収保持する液吸収層を有する本体部と、前記本体部の肌側表面に設けられた隆起部とを有する生理用ナプキンにおいて、
前記隆起部の少なくとも一部が、前記本体部の肌側表面に対し、仮固定手段を介して分離可能に仮固定されていることを特徴とする生理用ナプキン。
【請求項２】
前記隆起部の一部が、前記本体部の肌側表面に対し、本固定手段を介して、前記仮固定手段よりも強い固定力で本固定されている請求項１記載の生理用ナプキン。
【請求項３】
前記隆起部の前方部分と後方部分が前記本固定手段を介して前記本体部の肌側表面に本固定され、前方部分と後方部分との中間部分が前記仮固定手段を介して前記肌側表面に仮固定されている請求項２記載の生理用ナプキン。
【請求項４】
前記隆起部の臀裂対向部が、前記中間部分に位置している請求項３記載の生理用ナプキン。
【請求項５】
前記隆起部は、その縦方向の中間位置から後端まで、前記仮固定手段を介して前記本体部の肌側表面に仮固定され、残りの部分が、前記本固定手段を介して前記肌側表面に本固定されている請求項２記載の生理用ナプキン。
【請求項６】
前記隆起部には、前記仮固定手段で仮止めされている側の端部に、摘み部が設けられている請求項５記載の生理用ナプキン。
【請求項７】
前記摘み部は、前記本体部に固定されていない請求項６記載の生理用ナプキン。
【請求項８】
前記隆起部は、縦方向に延びる接続シートを有し、この接続シートが、前記仮固定手段および前記本固定手段を介して、前記本体部の肌側表面に固定されており、隆起部の上層部分が前記接続シートの肌側表面に固定されている請求項２ないし７のいずれかに記載の生理用ナプキン。
【請求項９】
前記隆起部の全体が、前記仮固定手段を介して前記肌側表面に仮固定されている請求項１記載の生理用ナプキン。
【請求項１０】
前記仮固定手段は、前記隆起部を形成する素材と本体部の肌側表面とが、部分的に加圧されて形成されている請求項１ないし９のいずれかに記載の生理用ナプキン。
【請求項１１】
前記仮固定手段は、前記隆起部を形成する素材と本体部の肌側表面とが、部分的に融着接合されて形成されている請求項１ないし９のいずれかに記載の生理用ナプキン。
【請求項１２】
前記仮固定手段は、前記隆起部と本体部の肌側表面とを剥離可能に接着する接着剤層である請求項１ないし９のいずれかに記載の生理用ナプキン。
【請求項１３】
前記仮固定手段は、前記隆起部を形成する素材の一部に間欠的に形成された切り込みで形成されている請求項１ないし９のいずれかに記載の生理用ナプキン。
【発明の詳細な説明】
【技術分野】
【０００１】
本発明は、本体部の肌側表面に隆起部が設けられた生理用ナプキンに係り、着用時に隆起部を身体の所望の部位に密着させやすく、また着用中に本体部が動いても、前記隆起部が身体の股間部に密着した状態を維持し、経血の洩れを防止する効果を発揮しやすい生理用ナプキンに関する。
【背景技術】
【０００２】
生理用ナプキンには、液吸収層を有する本体部と、本体部の肌側表面に隆起する隆起部とが設けられたものが存在している。
【０００３】
以下の特許文献１に記載の生理用ナプキンは、吸収層とこの吸収層の肌側表面を覆う表面シートを有している。表面シートと吸収層との間には隆起部を形成するこぶが設けられ、このこぶが液吸収機能を有している。前記こぶは前端と後端に向かうにしたがって幅寸法が減少し且つ高さ寸法も減少する形状である。このこぶが、膣口から臀裂部までの身体の溝に密着することで経血のナプキン外への洩れを防止しようというものである。
【０００４】
以下の特許文献２に記載の生理用ナプキンは、液吸収層が下部コアと上部コアとに分離されており、下部コアが不透液性の下部シートと一体化されている。下部コアの肌側には、液透過性の上部シートが設けられ、この上部シートは前端部と後端部が前記下部コアに固定されているとともに、縦方向に弾性収縮力を発揮する弾性伸縮部材が上部シートに固定されている。上部コアは、上部シートに固定されて、前記弾性収縮力により、上部シートと共に下部コアから浮き上がる状態となることが可能である。特許文献２に記載のものは、下部シートの外面が下着のクロッチ部の内面に装着された状態で、上部コアが身体の外陰部に対向するというものである。また、特許文献３にも前記特許文献２と同等の構成の生理用ナプキンが開示されている。
【０００５】
特許文献４に記載の生理用品は、広幅の吸収体を有する吸収保持体の肌側表面に、膣口から臀部まで達する長さの細幅の吸収部が設けられている。この吸収部は、その前端が前記吸収保持体に固定され、それよりも後方部分が前記吸収保持体と独立している。この生理用品は、吸収保持体を下着の内面に固定し、吸収部の後端部分を身体に付着させることにより、吸収部と股間部との密着度を高めるというものである。
【特許文献１】特表２００１−５０４７２７号公報
【特許文献２】特開２０００−８３９９３号公報
【特許文献３】特開平１１−３１８９７９号公報
【特許文献４】特開２００２−１５９５３４号公報
【発明の開示】
【発明が解決しようとする課題】
【０００６】
本体部の肌側表面に隆起部を設けた生理用ナプキンは、本体部を下着のクロッチ部の内面に感圧接着剤層を介して固定し、隆起部を膣口または臀裂部、あるいは膣口から臀裂部の凹部内に密着させて使用する。しかし生理用ナプキンを装着した状態で身体が動くと、臀部の動きによって下着が左右に伸び、あるいは左右に動き、下着に固定されている生理用ナプキンが下着の変形に追従して横方向へ動きやすくなる。例えば、生理用ナプキンを股間部に装着した状態で歩行すると、下着と共に生理用ナプキンが左右方向へ交互に動くようになる。
【０００７】
特許文献１に記載の生理用ナプキンは、本体部の肌側表面に、こぶ（隆起部）が一体に設けられているため、下着に固定されている本体部が下着と共に動くと、前記隆起部も本体部と一緒に動き、隆起部が膣口や臀裂部などから離れやすく、その結果、身体と生理用ナプキンとの間に隙間が形成され経血が横方向や後ろ方向などに洩れ出る心配が生じる。
【０００８】
特許文献２に記載の生理用ナプキンは、上部コアが膣口に密着しやすくなるというものであるが、上部コアの肌側表面が比較的平坦であるため、下部コアが下着に追従して左右に動くと、上部コアもこれに追従して左右に動くおそれがある。また、この生理用ナプキンを装着するときには、下部コアを下着のクロッチ部の内面に接着固定し、下着と共に生理用ナプキンを股間部に向けて引き上げる必要がある。このとき、下部コアは下着のクロッチ部の形状に倣って、縦方向に向けて凹状に湾曲するため、弾性部材による上部コアを吊り上げる力が減少し、下部コア上で上部コアが動きやすくなる。そのため、下着と共に生理用ナプキンを引き上げたときに、上部コアが、本来密着させるべき膣口などの部位に対して左右に位置ずれした状態で装着されやすい。これは特許文献３に記載の生理用ナプキンにおいても同じである。
【０００９】
特許文献４に記載の生理用品は、細幅の吸収部の前端のみが吸収保持体に接合され、それよりも後方部分が自由に動ける構造である。そのため、この生理用品を下着のクロッチ部に固定して、下着と共に股間部に装着するときに、前記吸収部が自由に動いてしまい位置が定まらず、吸収部を膣口や臀裂部に確実に密着させにくい。
【００１０】
本発明は、前記従来の課題を解決するものであり、着用しようとするときに、隆起部を股間部の必要箇所に正確に密着させやすく、しかも、装着後は、身体の動きに追従して、前記隆起部が本体部と独立して動くことができ、隆起部と身体との密着状態が維持しやすくなって、経血の洩れを防止しやすい生理用ナプキンを提供することを目的としている。
【課題を解決するための手段】
【００１１】
本発明は、液を吸収保持する液吸収層を有する本体部と、前記本体部の肌側表面に設けられた隆起部とを有する生理用ナプキンにおいて、
前記隆起部の少なくとも一部が、前記本体部の肌側表面に対し、仮固定手段を介して分離可能に仮固定されていることを特徴とするものである。
【００１２】
この生理用ナプキンは、身体の股間部に装着するまでの間は、本体部と隆起部とが仮固定されているため、着用しようとするときに、隆起部を臀裂部、膣口、あるいは膣口から臀裂部にかけての身体の溝に正確に接触させやすい。生理用ナプキンが股間部に装着されている状態で、身体の動きにより本体部が左右に動き、身体の溝内に位置決めされている隆起部と本体部との間にずれ力が作用すると、その力によって、隆起部と本体部とが分離することが可能である。よって、本体部が左右に動いても、隆起部と身体との密着を維持でき、経血のナプキン外への洩れを防止できる。また、生理用ナプキンが股間部に装着された後に、手の力で隆起部と本体部とを強制的に分離させることも可能である。
【００１３】
本発明は、前記隆起部の一部が、前記本体部の肌側表面に対し、本固定手段を介して、前記仮固定手段よりも強い固定力で本固定されているものとすることができる。
【００１４】
この場合、隆起部のうちの仮固定されている部分のみが本体部から分離して、本体部と独立して動くことができるようになる。
【００１５】
本発明では、前記隆起部の前方部分と後方部分が前記本固定手段を介して前記本体部の肌側表面に本固定され、前方部分と後方部分との中間部分が前記仮固定手段を介して前記肌側表面に仮固定されているものとして構成できる。
【００１６】
例えば、前記隆起部の臀裂対向部が、前記中間部分に位置しているものとして構成できる。あるいは隆起部の膣口対向部が前記中間部分に位置してもよい。
【００１７】
隆起部の前方部分と後方部分が本体部に本固定され、中間部分のみが分離される構造にすると、身体が直立姿勢となったときのように、本体部の縦方向中心線が身体の中心線に一致しているときに、隆起部の湾曲が強制され、隆起部が縦方向中心線に沿うように戻りやすくなる。
【００１８】
あるいは、本発明は、前記隆起部は、その縦方向の中間位置から後端まで、前記仮固定手段を介して前記本体部の肌側表面に仮固定され、残りの部分が、前記本固定手段を介して前記肌側表面に本固定されているものであってもよい。
【００１９】
上記構成では、隆起部が本体部と分離された状態で、隆起部の後方部分が身体の動きに追従して大きく動けるようになり、隆起部と身体の溝との当接状態を維持しやすい。
【００２０】
または、本発明は、前記隆起部には、前記仮固定手段で仮止めされている側の端部に、摘み部が設けられているものとして構成できる。
【００２１】
この生理用ナプキンは、下着と共に股間部に装着した後に、前記摘み部を指で摘むことによって、着用した状態で、隆起部と本体部とを容易に分離することができる。
この場合、前記摘み部は、前記本体部に固定されていないことが好ましい。
【００２２】
本発明は、前記隆起部は、縦方向に延びる接続シートを有し、この接続シートが、前記仮固定手段および前記本固定手段を介して、前記本体部の肌側表面に固定されており、隆起部の上層部分が前記接続シートの肌側表面に固定されている構造とすることが好ましい。
【００２３】
上記構造では、生理用ナプキンを組み立てるときに、接続シートを仮固定手段および本固定手段で本体部に装着した後に、隆起部の上層部分を接続シートに接着などの手段で固定すればよく、組み立て工程を容易にできる。
【００２４】
また、本発明は、前記隆起部の全体が、前記仮固定手段を介して前記肌側表面に仮固定されているものであってもよい。
【００２５】
本発明の前記仮固定手段は、前記隆起部を形成する素材と本体部の肌側表面とが、部分的に加圧されて形成されているものである。または、前記仮固定手段は、前記隆起部を形成する素材と本体部の肌側表面とが、部分的に融着接合されて形成されているものである。あるいは、前記仮固定手段は、前記隆起部と本体部の肌側表面とを剥離可能に接着する接着剤層である。
【００２６】
さらに、本発明は前記仮固定手段は、前記隆起部を形成する素材の一部に間欠的に形成された切り込みで形成されているものであってもよい。
【００２７】
この場合、隣接する切り込みと切り込みとの間で隆起部を形成する素材を破断することにより、隆起部の一部または前部を本体部から分離させることができる。
【発明の効果】
【００２８】
本発明は、身体に装着するまでの間、隆起部が本体部と一体化されているため、隆起部を、身体の密着させるべき部位に位置決めしやすい。また装着後に、隆起部が本体部と独立して動くことが可能であるため、隆起部が前記部位に密着した状態を維持しやすく、経血の後方への洩れの不安を解消しやすい。
【発明を実施するための最良の形態】
【００２９】
図１は本発明の第１の実施の形態の生理用ナプキンを示すものであり、外力が作用していない自由状態を示す斜視図である。図２は、前記生理用ナプキンを平坦な状態に展開した状態で、本体部と接続シートとの固定構造を示す平面図である。図３は図１のＩＩＩ−ＩＩＩ線の断面図、図４は図１のＩＶ−ＩＶ線の断面図、図５は図１のＶ−Ｖ線の断面図である。図６は図１のＩＶ−ＩＶ線の断面をさらに詳しく説明する破断斜視図、図７は隆起部の一部を拡大して示す部分破断斜視図である。図８（Ａ）は外力が作用していない自由状態の生理用ナプキンを示す側面図、図８（Ｂ）は隆起部の一部が本体部から分離された状態を示す側面図、図９（Ａ）は本体部と接続シートとの仮固定手段を示す部分拡大平面図、図９（Ｂ）は図９（Ａ）のＢ−Ｂ線の断面図である。
【００３０】
以下においては、生理用ナプキン１を構成する各要素の２つの表面のうち、身体に向く表面を「肌側表面」と呼び、反対側の表面を「着衣側表面」と呼ぶ。また、生理用ナプキンの長手方向を「縦方向」と呼び、前記縦方向と直交する方向を「横方向」と呼ぶ。各要素の寸法は、特に明記しない限り、縦方向に測定した寸法を「長さ寸法」とし、前記横方向に測定した寸法を「幅寸法」と呼ぶ。
【００３１】
本実施の形態の生理用ナプキンは、主に液吸収層と裏面シートとで構成される部分を本体部と呼び、本体部の肌側表面に隆起している部分を隆起部と呼ぶ。また表面シートは、その全てが本体部を構成する場合もあるし、その一部が本体部を構成し他の一部が隆起部の構成要素となることもある。
【００３２】
また、加圧または融着接合あるいは接着剤層などで形成されている仮固定手段は、人の手の力で隆起部と本体部を容易に分離できる固定手段であり、仮固定手段が形成されている領域で、隆起部と本体部とを剥がすときに、隆起部と本体部の素材が極端に破断されることがなく、隆起部と本体部がその形状を維持したまま分離できる固定力を発揮する。本固定手段は、隆起部と本体部との剥離に要する力が前記仮固定手段による固定力よりも大きいものであり、本固定手段が形成されている領域で、隆起部と本体部を剥がすときに、隆起部と本体部の少なくとも一方を構成する素材に極端な破れが生じ、隆起部と本体部の少なくとも一方が、その形状を維持できない固定力を発揮する状態を意味している。
【００３３】
第１の実施の形態の生理用ナプキン１は、本体部２と、本体部２の肌側表面に位置する隆起部３を有している。
【００３４】
図３ないし図５に示すように、前記本体部２は、着衣側表面に位置する液遮断性の裏面シート２１と、その上に設置された液吸収層２２と、前記液吸収層２２を覆う液透過性の表面シート２３および、肌側表面の左右両側部に位置する側部シート２４，２４とを有している。これら各部材はホットメルト型接着剤により互いに接着されている。
【００３５】
図１と図２に示すように、本体部２は、曲線形状の前縁部４と同じく曲線形状の後縁部５を有している。本体部２は、縦方向中心線Ｏｙでの長さ寸法が２８０〜４５０ｍｍの縦長形状であり、第１の実施の形態では、長さ寸法が３５０ｍｍである。前記液吸収層２２も縦長形状であり、この液吸収層２２は、前記前縁部４よりもやや後方に位置する曲線形状の前端部２２ａおよび、前記後縁部５よりもやや前方に位置する曲線形状の後端部２２ｂを有している。液吸収層２２の左右両側端部２２ｃ，２２ｃは、縦方向中心線Ｏｙと平行な直線形状である。ただし、液吸収層２２の左右両側端部２２ｃ，２２ｃの形状は前記実施の形態に限られるものではない。
【００３６】
本体部２の両側部の形状は、前方において、前記液吸収層２２の両側端部２２ｃ，２２ｃよりも左右両側に突出した前方フラップ部６，６と、前記前方フラップ部６，６よりも後方において左右両側に突出した折り返しフラップ部７，７と、前記折り返しフラップ部７，７よりもさらに後方において、左右両側に突出した後方フラップ部８，８とを有している。前方フラップ部６，６と折り返しフラップ部７，７および後方フラップ部８，８では、裏面シート２１と側部シート２４とが重ねられてホットメルト型接着剤により互いに接着されている。
【００３７】
横方向の両側に位置する前記側部シート２４，２４の対向縁部２４ａ，２４ａは、前記液吸収層２２の両側端部２２ｃ，２２ｃよりも内側（縦方向中心線Ｏｙに近い側）に位置している。図３ないし図５に示すように、液吸収層２２の両側部分は、その肌側表面が前記表面シート２３で覆われ、さらにその表面が前記側部シート２４，２４で覆われている。前記側部シート２４，２４の対向縁部２４ａと対向縁部２４ａとで挟まれた領域には、液透過性の前記表面シート２３が現れており、この領域で且つ液吸収層２２が設けられている部分が主な液吸収領域となっている。
【００３８】
図１と図２に示すＸ１は、膣対向基準線であり、図３は生理用ナプキン１を膣対向基準線Ｘ１で切断した断面図である。本体部２の前縁部４から膣対向基準線Ｘ１までの長さ寸法Ｌ１は、後方へ１００〜２００ｍｍの範囲で、好ましくは前縁部４から後方へ１００〜１４０ｍｍの範囲に位置している。この実施の形態では、長さ寸法Ｌ１が約１２０ｍｍである。
【００３９】
膣対向基準線Ｘ１と縦方向中心線Ｏｙとの交点が、膣口対向基準位置である。膣口対向基準位置とは、この生理用ナプキン１を下着に固着させて股間部に装着するときに、ほぼ膣の中心に一致させる目安となる位置を意味している。この目安は、生理用ナプキンを肌側表面から見たときの全体形状や、肌側表面に形成されている圧縮線５１の形状などの全体のデザインによって誘導するものである。この実施の形態のように左右両側に突出する折り返しフラップ部７，７が存在しているときには、通常はこの折り返しフラップ部７，７の縦方向寸法の中心を通る膣対向基準線Ｘ１が膣口の中心部に対向させる目安となる。また圧縮線５１の横方向での間隔が、膣対向基準線Ｘ１の位置で狭められており、この圧縮線５１の形状も前記目安となる。
【００４０】
図３ないし図５に示すように、隆起部３は、上層部分が、外側シート３１と内側シート３２とが重ねられた積層シート３０と、外側シート３１と内側シート３２との間に挟まれた弾性部材３３とで形成されている。隆起部３の下層部分は、前記積層シート３０と本体部２の表面シート２３との間に位置する接続シート３４で構成されている。この実施の形態での隆起部形成部材は、前記積層シート３０、前記弾性部材３３および前記接続シート３４である。前記外側シート３１と内側シート３２および接続シート３４は、親水性で液透過機能を有する素材で形成されている。
【００４１】
図２に示すように、前記接続シート３４は、一定の幅寸法の帯状である。接続シート３４の幅寸法Ｗ０は１０〜３０ｍｍ程度であり、この実施の形態では１８ｍｍである。接続シート３４は、その幅寸法Ｗ０の中心線が生理用ナプキン１の縦方向中心線Ｏｙに一致しており、生理用ナプキン１の前縁部４から後縁部５まで連続して延びている。
【００４２】
接続シート３４と、本体部２の表面シート２３は、図２に示す前方本固定領域４１において、本固定手段によって互いに強固に固定されている。また後方本固定領域４２においても、本固定手段によって互いに強固に本固定されている。そして、前方本固定領域４１と後方本固定領域４２との間では、接続シート３４と表面シート２３とが、仮固定手段によって、互いに容易に分離可能に仮固定されている。
【００４３】
前方本固定領域４１の長さ寸法はＬ１＋Ｌ２である。前記寸法Ｌ２は、膣対向基準線Ｘ１よりも後方へ向かって測定される距離であり、この実施の形態では前記Ｌ２は２０ｍｍである。前記仮固定領域４３は前方本固定領域４１との境界部Ｘ３から後方へ長さ寸法Ｌ３の範囲で延びている。この実施の形態では、前記長さ寸法が１００ｍｍ程度である。後方本固定領域４２は、仮固定領域４３との境界部Ｘ４から後縁部５まで延びている。縦方向中心線Ｏｙでの生理用ナプキンの長さ寸法が３５０ｍｍの場合、後方本固定領域４２の長さ寸法Ｌ４は１１０ｍｍである。
【００４４】
前方本固定領域４１と後方本固定領域４２では、接続シート３４と表面シート２３とが液の透過を妨げない量のホットメルト型接着剤で接着されている。前記両領域では、ホットメルト型接着剤がＷ１の幅の範囲内で塗工されており、例えばホットメルト型接着剤は、幅寸法が２ｍｍで縦方向に連続する線状に塗工されており、横方向に隣接するホットメルト型接着剤の間隔は２ｍｍである。例えば前記幅寸法Ｗ１は１０〜１８ｍｍであり、前記前方本固定領域４１および後方本固定領域４２での塗工量は１０ｇ／ｍ２程度である。なお、前方本固定領域４１と後方本固定領域４２において、表面シート２３と接続シート３４とが、熱シールや超音波シール工程によって融着接合されているものであってもよい。
【００４５】
仮固定領域４３では、接続シート３４と表面シート２３とが、仮固定手段である仮止めエンボス４４によって分離可能に仮固定されている。図９（Ａ）（Ｂ）に示すように、仮止めエンボス４４は、常温下で接続シート３４と表面シート２３とを部分的に加圧したものである。仮固定領域４３の幅寸法Ｗ２は、前方本固定領域４１および後方本固定領域４２の幅寸法Ｗ１よりも狭く、幅寸法Ｗ２は８ｍｍ程度である。図９（Ａ）に示すように、仮止めエンボス４４は縦方向と幅方向に等間隔で、縦方向に平行に４列で配列している。個々の仮止めエンボスは、１辺が２ｍｍまたはそれよりもわずかに小さい正方形である。
【００４６】
上記仮止めエンボス４４は、複数の凸部を有する平坦な押圧型または押圧ロールと、前記凸部に対向する複数の凹部を有する平坦な押圧型または押圧ロールとの間に、接続シート３４と表面シート２３とを重ねて常温下で押圧して形成される。このときの加圧力は、幅寸法Ｗ２で長さ寸法Ｌ３の仮固定領域４３の全面積に対して２００〜３００Ｎ程度が好ましい。また、前記押圧型または押圧ロールで加圧したときの、接続シート３４から表面シート２３に向かう方向の加圧深さＤは０．２〜０．８ｍｍ程度である。
【００４７】
図６に詳しく示すように、積層シート３０は、外側シート３１と内側シート３２とがホットメルト型接着剤３５を介して接着されている。ホットメルト型接着剤３５は、液の透過を妨げない量で例えば２ｇ／ｍ２の塗工量であり、ストライプパターンまたはスパイラルパターンで塗工されている。弾性部材３３は糸状であり弾性的に伸縮できるものである。弾性部材３３は、縦方向へ１．２倍以上の長さに伸ばされた状態で、外側シート３１および内側シート３２に、ホットメルト型接着剤で接着されている。
【００４８】
積層シート３０は所定の幅寸法を有する帯状であり、一方の縁部３０ａの内側に他方の縁部３０ｂが重ねられて、図６に示すホットメルト型接着剤３６を介して接着され、内部が空洞の筒形状に成形されている。前記ホットメルト型接着剤は幅寸法が３ｍｍ程度で縦方向に連続的に延びる線状に塗工されており、塗工量は１０ｇ／ｍ２程度である。
【００４９】
図１に示すように、隆起部３を形成する筒状の積層シート３０は、その幅寸法の中心が生理用ナプキン１の縦方向中心線Ｏｙに一致し、前縁部４から後縁部５にかけて連続している。図６に示すように、積層シート３０で形成された筒体の底部は、接続シート３４の肌側表面の全長に渡ってホットメルト型接着剤３７を介して接着されている。前記ホットメルト型接着剤３７の塗工パターンおよび塗工量は、前方本固定領域４１および後方本固定領域４２において、接続シート３４と表面シート２３とを接着している塗工パターンおよび塗工量と同じである。積層シート３０と接続シート３４は、縦方向の全長に渡って、すなわち前方本固定領域４１、後方本固定領域４２および仮固定領域４３の全域において、本固定領域と同じ固定力を発揮できるように固定されている。
【００５０】
この生理用ナプキン１の製造工程では、表面シート２３と接続シート３４とを、前記前方本固定領域４１と後方本固定領域４２および仮固定領域４３において、本固定および仮固定する。そして、裏面シート２１と液吸収層２２および接続シート３４が取付けられた表面シート２３を重ねて本体部２を形成する。その後に、積層シート３０を、ホットメルト型接着剤３７を介して接続シート３４の肌側表面に固定する。このように接続シート３４と表面シート２３とを接合した後に、接続シート３４と積層シート３０とを固定することにより、前記前方本固定領域４１と後方本固定領域４２および仮固定領域４３を有する生理用ナプキン１を容易に製造することができる。
【００５１】
前記弾性部材３３の前端は、膣対向基準線Ｘ１よりも前方に位置している。積層シート３０は、前記膣対向基準線Ｘ１から前縁部４までの範囲で、図３に示すように平坦な状態に折り畳まれ、少なくとも弾性部材３３が設けられている部分で、積層シート３０の上下に対向する内面どうしが接着され、弾性部材３３が本体部２の肌側表面から離れないように固定されている。また弾性部材３３の後端は、後方基準線Ｘ２よりも後方に位置している。後方基準線Ｘ２は、圧縮線５１の後端５１ｂよりもやや前方に位置している。後方基準線Ｘ２から生理用ナプキン１の後縁部５までの範囲では、図３に示したのと同様に、積層シート３０が平坦な状態に押し畳まれ、少なくとも弾性部材３３が設けられている部分で、積層シート３０の上下に対向する内面どうしが接着されている。図３に示すように、積層シート３０が平坦に畳まれた状態の隆起部３の幅寸法は、２０〜４０ｍｍの範囲であり、この実施の形態では２４ｍｍである。この範囲の幅寸法であれば、平坦に折り畳まれた隆起部３が膣口から外れることなく、膣口に確実に対向できるようになる。
【００５２】
前記膣対向基準線Ｘ１から後方基準線Ｘ２までの範囲では、筒体を形成している積層シート３０の内面どうしが接合されておらず、内部が空洞である。生理用ナプキン１に外力が作用していない状態では、前記膣対向基準線Ｘ１から後方基準線Ｘ２までの範囲で弾性部材３３の弾性収縮力が作用し、本体部２には膣対向基準線Ｘ１と後方基準線Ｘ２とを互いに接近させようとする力が作用し、本体部２は、その肌側表面が窪むように縦方向に向けて湾曲させられる。その結果、弾性部材３３が本体部２の肌側表面から離れ、積層シート３０で形成された筒体が本体部２の肌側表面から立ち上がった形状となる。
【００５３】
すなわち隆起部３は、膣対向基準線Ｘ１よりも前方の範囲および後方基準線Ｘ２よりも後方の範囲で、図３に示すように、本体部２の肌側表面からの高さ寸法が小さく、膣対向基準線Ｘ１と後方基準線Ｘ２の間で、前記肌側表面からの高さ寸法が大きくなる。図２に示すように、本体部２を平坦な状態としたときの、膣対向基準線Ｘ１と後方基準線Ｘ２との距離Ｌ５は、１４０ｍｍ程度である。生理用ナプキン１に外力が作用していない状態では、前記弾性収縮力が作用している範囲の中点、すなわち前記膣対向基準線Ｘ１から後方基準線Ｘ２までの範囲の中点において、本体部２の肌側表面からの隆起部３の立ち上がり高さ寸法が最大になる。
【００５４】
前記隆起部３の立ち上がり寸法が最大となる部分は、膣対向基準線Ｘ１から後方へ７０ｍｍ程度離れた位置であり、この部分は身体の臀裂部に対向し、好ましくは臀裂部の最も深い部位に対向する。隆起部３が臀裂部内に違和感無く入り込めるためには、立ち上がり寸法が最大となる部分で、本体部２の肌側表面、すなわち表面シート２３の肌側表面からの立ち上がり高さ寸法の最大値が、１１〜６０ｍｍである。好ましくは１５〜４０ｍｍである。また、立ち上がり高さ寸法が最大となる部分での隆起部３の幅寸法は１０〜３０ｍｍ程度である。図４に示すように、隆起部３の立ち上がり高さ寸法が最大となる部分では、積層シート３０で形成される両側壁部の対向間隔が、弾性部材３３が位置する頂部３ａから本体部２に向けて徐々に広がっている。
【００５５】
図５に示すように、立ち上がり高さ寸法が最大となる位置よりも後方、および立ち上がり高さ寸法が最大となる位置よりも前方においても、隆起部３の両側壁部の対向間隔が、本体部２に向かうにしたがって徐々に広くなる。そして、頂部３ａを中心とする両側壁部の広がり角度は、立ち上がり高さ寸法が最大となる位置で最も小さくなる。
【００５６】
図７に示すように、隆起部３の肌当接面に現れている外側シート３１には、細かな凹凸形状が賦形されている。この凹凸形状は、外側シート３１を加熱下でエンボス加工することにより形成されている。図７に示す実施の形態では、肌側へ突出する凸部３１ａと隆起部３の内方へ向く凹部３１ｂとが縦方向と横方向に交互に形成されており、凸部３１ａの縦方向および横方向への配列ピッチは、０．５〜３ｍｍ程度である。外側シート３１に賦形された凹凸形状は身体の肌に対する摩擦増加手段として機能し、隆起部３が臀裂部内に入り込んだ状態で、隆起部３の表面と臀裂部の肌との摩擦力を増大でき、隆起部３と臀裂部との密着度が高まり、隆起部３が臀裂部内から外れにくくなる。
【００５７】
図１と図２に示すように、生理用ナプキン１の肌側表面には、前記表面シート２３と液吸収層２２を一緒に圧縮して加熱した圧縮線５１が形成されている。生理用ナプキン１の前方および後方において、圧縮線５１の前端５１ａと後端５１ｂが、隆起部３を横断しており、この横断部分では、隆起部３を構成する積層シート３０が、本体部２の表面シート２３および液吸収層２２と一緒に加圧されている。
【００５８】
前記圧縮線５１は、液吸収層２２を有する縦長の領域を囲むように形成されている。この圧縮線５１を設けることによって、本体部２の剛性が高まり、本体部２に前記弾性部材３３の弾性収縮力が作用したときに、本体部２に折れが発生しにくく、本体部２が、縦方向に均一な曲率を有して湾曲できるようになる。
【００５９】
図３ないし図５に示すように、本体部２では、前記裏面シート２１の着衣側表面に、下着に固着させるための感圧接着剤層１１が設けられている。前記感圧接着剤層１１は、縦方向中心線Ｏｙの左右両側において前記縦方向中心線Ｏｙと並行に帯状に塗工されている。図３に示すように、前記折り返しフラップ部７，７が形成されている領域には、前記裏面シート２１の着衣側表面にフラップ用感圧接着剤層１２が設けられている。
【００６０】
第１の実施の形態の前記生理用ナプキン１の構成素材の好ましい例を説明する。
本体部２を構成する裏面シート２１は、坪量が２３．５ｇ／ｍ２のポリエチレンフィルムである。液吸収層２２は、針葉樹クラフトパルプと高吸水性ポリマーとが混合されて、親水性のティッシュペーパで包まれたものであり、高吸水性ポリマーは、液吸収層２２の質量の３％程度含まれている。液吸収層２２の目付けは、４００ｇ／ｍ２程度である。本体部２の表面シート２３は、親水性で且つ液透過性の不織布あるいは多数の液透過孔が形成された樹脂フィルムである。例えば表面シート２３は、合成樹脂繊維を熱風で接合したスルーエア不織布であり、芯部がポリエステル樹脂で鞘部がポリエチレン樹脂で、繊度が２．２ｄｔｅｘの芯鞘型複合合成繊維で形成されている。表面シート２３の目付けは２５ｇ／ｍ２程度である。側部シート２４は、芯部がポリプロピレン樹脂で鞘部がポリエチレン樹脂で繊度が２．２ｄｅｔｘの複合合成繊維で形成されたスパンボンド不織布であり、例えば目付けが２２ｇ／ｍ２である。
【００６１】
接続シート３４は、親水性で且つ液透過性であり、不織布あるいは多数の液透過孔が形成された合成樹脂フィルムなどで形成されている。例えば接続シート３４は、芯部がポリプロピレン樹脂で鞘部はポリエチレン樹脂で、繊度が２．２ｄｔｅｘの芯鞘型複合合成繊維で形成されたスパンボンド不織布であり、目付けが２２ｇ／ｍ２のものが使用される。この接続シート３４は、スルーエア不織布や、スパンレース不織布などで形成されてもよい。
【００６２】
積層シート３０を構成している外側シート３１と内側シート３２は、親水性で液透過性であり不織布または多数の液透過孔が形成された樹脂フィルムで形成される。例えば、外側シート３１と内側シート３２は、共に芯部がポリエステル樹脂で鞘部がポリエチレン樹脂で、繊度が２．２ｄｔｅｘの芯鞘型複合合成繊維で形成された目付けが２５ｇ／ｍ２程度のスルーエア不織布である。弾性部材３３は、ポリウレタン弾性糸であり、繊度が１８８０ｄｔｅｘのものが使用される。
【００６３】
上記実施の形態の生理用ナプキン１を使用したときの作用の一例を説明する。
この生理用ナプキン１は、使用前の状態で、前方本固定領域４１と後方本固定領域４２および仮固定領域４３において、隆起部３が本体部２に固定されており、本体部２と隆起部３が一体となっている。この生理用ナプキン１は、裏面シート２１の外面に設けられた感圧接着剤層１１を介して、下着のクロッチ部の内面に固定される。このとき、仮想線である膣対向基準線Ｘ１と縦方向中心線Ｏｙとの交点である膣口対向基準位置を装着時の位置決めの目安とし、膣口対向基準位置が膣口の中心に一致できるように、生理用ナプキン１の位置を決めて下着のクロッチ部の内面に接着する。さらに、折り返しフラップ部７，７を、下着のクロッチ部の両側縁において下着の外側に向けて折り返し、折り返しフラップ部７，７の外面を、フラップ用感圧接着剤層１２，１２を介して下着のクロッチ部の外面に接着固定する。
【００６４】
身体に装着する前の状態では、図８（Ａ）に示すように、生理用ナプキン１の本体部２は、膣対向基準線Ｘ１と後方基準線Ｘ２との間で凹状に湾曲変形し、その範囲において、隆起部３の頂部３ａが、本体部２の肌側表面から離れている。
【００６５】
下着を身体に向けて持ち上げることで、生理用ナプキン１が女性の股間部に装着されるが、このとき、隆起部３が本体部２上で動くことなく一体化されているため、隆起部３のうちの膣対向基準線Ｘ１と後方基準線Ｘ２との間で立ち上がっている部分を、会陰部から肛門さらには臀裂部内に位置決めしやすくなる。図３に示すように、膣対向基準線Ｘ１の付近では、隆起部３はほぼ平坦な状態でその高さが低くなっているため、隆起部３は膣口に違和感なく当接できるようになる。また図４および図５に示すように、膣対向基準線Ｘ１と後方基準線Ｘ２との間では、隆起部３が高く立ち上がっており、しかも頂部３ａに向けて幅寸法が徐々に小さくなる形状であるため、この部分で隆起部３が肛門付近の溝内および臀裂部の溝内に抵抗なく入り込むことができる。また、膣対向基準線Ｘ１と後方基準線Ｘ２との中点において隆起部３の立ち上がり高さが最も大きくなっている部分が、臀裂部の最深部に入り込むようになる。図７に示すように、隆起部３の外面に位置している外側シート３１に細かな凹凸が賦形されているため、隆起部３の外面と肌とのが摩擦力が大きくなり、隆起部３は臀裂部内から容易に抜け出にくくなる。
【００６６】
図１１（Ａ）（Ｃ）（Ｅ）は、生理用ナプキン１を装着した身体６０の動作を上方から見た説明図であり、図１１（Ｂ）（Ｄ）（Ｆ）は、下着５５に感圧接着剤層１１を介して固定された生理用ナプキン１と、身体６０の臀裂部６１との関係を示す説明図である。図１１（Ａ）（Ｂ）は、身体６０が直立姿勢の状態を示している。図１１（Ｃ）（Ｄ）は、歩行時に左足を前に出した状態、図１１（Ｅ）（Ｆ）は、歩行時に右足を前に出した状態を示している。
【００６７】
図１１（Ａ）（Ｂ）に示すように、直列姿勢では、生理用ナプキン１の幅方向の中心Ｏ２が、身体６０の中心Ｏ１に一致している。しかし、図１１（Ｃ）（Ｄ）に示すように、歩行時に左足を前に出すと、下着５５に左方向への力Ｆ１が作用し、下着５５に接着されている生理用ナプキン１の本体部２も左に引かれる。図１１（Ｅ）（Ｆ）に示すように、歩行時に右足を前に出すと、下着５５に右方向への力Ｆ２が作用して、本体部２も右に引かれる。
【００６８】
前述のように、膣対向基準線Ｘ１と後方基準線Ｘ２との間で、隆起部３が臀裂部内に入り込んでいるため、歩行時に本体部２が左右に動くと、隆起部３の臀裂部に入り込んでいる部分と本体部２との間に互いに反する方向の力が作用する。図１２は、図１１（Ｄ）の状態を拡大して示している。本体部２に作用する力Ｆ１が大きくなると、仮固定領域４３において、接続シート３４と表面シート２３とが、仮止めエンボス４４の部分で剥がれ、接続シート３４と積層シート３０とが一体となった状態で、隆起部３が本体部２から分離できるようになる。このとき、図１２に示すように、隆起部３には右方向で且つ斜め上向きの力Ｆａが作用するため、仮固定領域４３では、幅方向の端から中心Ｏ２に向かって、仮止めエンボス４４が順番に剥がれていく。
【００６９】
いくつかの仮止めエンボス４４が剥がれ、残りの仮止めエンボス４４において接続シート３４と表面シート２３とが剥がれていない状態となると、本体部２に前記力Ｆ１とＦ２が作用しても、その力が隆起部３に及ぼす影響を低減でき、隆起部３が臀裂部６１内に入り込んだ状態を維持しやすくなる。
【００７０】
前記力Ｆ１およびＦ２が過大になると、境界部Ｘ３と境界部Ｘ４との間の仮固定領域４３において、全ての仮止めエンボス４４あるいはほとんど全ての仮止めエンボス４４において、接続シート３４と表面シート２３とが分離され、境界部Ｘ３と境界部Ｘ４との間で、隆起部３が本体部２から分離される。このとき、図８（Ｂ）に示すように、境界部Ｘ３と境界部Ｘ４との間で隆起部３の拘束が解除されるため、弾性部材３３の弾性収縮力により、隆起部３の頂部３ａが本体部２の肌側表面からさらに離れようとするため、隆起部３の頂部３ａの臀裂部６１内への加圧力を増大させることができ、隆起部３と臀裂部との密着度を高めることができる。また、歩行時などにおいて本体部２が下着５５と共に左右へ移動しても、境界部Ｘ３と境界部Ｘ４との間で、隆起部３が臀裂部６１内から抜け出にくくなる。
【００７１】
ただし、境界部Ｘ３よりも前方の前方本固定領域４１では、隆起部３と本体部２とがしっかり固定され、境界部Ｘ４よりも後方の後方本固定領域４２でも、隆起部３と本体部２がしっかり固定されている。隆起部３は前後の部分が本体部２に固定されて拘束され、境界部Ｘ３と境界部Ｘ４との間の中間部分のみが本体部２から独立しているため、図１１（Ａ）（Ｂ）に示すように、直立姿勢となったときに、前記中間部分が、縦方向中心線Ｏｙに沿う状態に戻されやすくなる。
【００７２】
次に、上記の作用を発揮するための、生理用ナプキン１の各構成要素の好ましい特性について説明する。
【００７３】
仮固定領域４３における接続シート３４と表面シート２３との固定強度は、図２２に示す方法で測定することができる。
【００７４】
表面シート２３と同じ素材と接続シート３４と同じ素材を、幅寸法が２５ｍｍで長さ寸法が４５ｍｍとなるように切断し、両素材を仮固定領域４３と同じ条件で仮止め固定する。このとき仮固定領域４３の幅寸法Ｗ２が試料のＸ方向となり、仮止めエンボス４４を、Ｙ方向の全長にわたるように形成する。長さ２０ｍｍの把持部３４ａと２３ａに破れないように補強用のテープを固定する。この試料を２０℃で相対湿度が６０％の環境下に３０分静置した後に測定を行う。把持部３４ａと把持部２３ａを１０ｍｍずつインストロン引っ張り試験機のチャックで保持し、チャック間距離を２０ｍｍとし、把持部３４ａと把持部２３ａを、１８０度方向へ１００ｍｍ／分の速度で引っ張り、その間に測定された最大荷重を固定強度とする。固定強度は５つの試料のそれぞれを測定した値の平均値とする。
【００７５】
仮固定領域４３での接続シート３４と表面シート２３との固定強度は、０．１〜２．０Ｎの範囲であり、好ましくは０．１〜０．９Ｎの範囲である。第１の実施の形態での固定強度は、０．５９Ｎである。固定強度が上記範囲であれば、図１１および図１２に示すように、生理用ナプキン１を装着した状態で歩行したようなときに、下着５５の動きによって仮固定領域４３での接続シート３４と表面シート２３との仮止めを部分的にまたは全体的に剥離させやすくなる。
【００７６】
また、前方本固定領域４１と後方本固定領域４２での接続シート３４と表面シート２３との固定強度は、図２２に示す測定方法で測定したときに２．５Ｎ以上である。前記範囲であると、本体部２と隆起部３とを分離する力を作用させたときに、表面シート２３、接続シート３４および積層シート３０のいずれかの素材が破断する。
【００７７】
また、生理用ナプキン１を股間部に装着する際に、隆起部３を臀裂部に位置決めした状態で、仮固定領域４３において指で隆起部３と本体部２とを強制的に分離してもよい。このように人為的に隆起部３を分離する構成では、仮固定領域４３での前記固定強度が、１．０Ｎ以上であってもよい。その上限は、隆起部３を本体部２から分離するときに、生理用ナプキン１を構成する素材に極端な破断が生じない範囲である。
【００７８】
図１０（Ａ）（Ｂ）（Ｃ）（Ｄ）は、仮固定領域４３において、接続シート３４と表面シート２３とを仮止めしている仮固定手段の他の例を示している。
【００７９】
図１０（Ａ）に示す仮固定手段は、仮固定領域４３の中央部に位置する仮止めエンボス４４ａよりも、両側部に位置する仮止めエンボス４４ｂの方が加圧面積が小さくなっている。よって、固定強度は、仮止めエンボス４４ａよりも仮止めエンボス４４ｂの方が低い。
【００８０】
図１２に示すように、身体６０の動きによって、本体部２と隆起部３とに相反する方向の力が作用したときに、剥離力は最初に仮固定領域４３の側部に作用する。最初に剥離力が作用する部分で仮止めエンボス部４４ｂによる固定強度が低くなっていると、表面シート２３と接続シート３４とが容易に剥がれ、隆起部３が身体６０の臀裂部６１内に入り込んだ状態を維持できるようになる。そして、さらに大きな力が作用したときに、中央に位置する仮止めエンボス４４ａにおいても表面シート２３と接続シート３４とが剥がれることができる。
【００８１】
仮固定領域４３における仮固定手段は、図１０（Ｂ）に示すように、間隔を空けて形成されたドット状の仮止めエンボス４５や、図１０（Ｃ）に示すように、横方向にストライプ状に形成された仮止めエンボス４６、または図１０（Ｄ）に示すように、間隔を空けて形成された三角形状の小さな仮止めエンボス４７であってもよい。前記仮止めエンボス４５，４６，４７は、前記第１の実施の形態と同様に、常温下で表面シート２３と接続シート３４を加圧して形成してもよいし、熱シールや超音波シールし、表面シート２３と接続シート３４とを部分的に融着接合してもよい。熱シールや超音波シールでは、表面シート２３と接続シート３４に含まれる熱融着性繊維などが溶融して固定される。この場合に、表面シート２３と接続シート３４に含まれる熱融着性繊維の量を減らす調整を行うことによって、仮固定領域４３の固定強度を前記の好ましい範囲に設定することが可能である。
【００８２】
あるいは、仮固定手段として、表面シート２３と接続シート３４を、感圧接着剤層を介して接着させてもよい。この場合、仮固定領域４３において、感圧接着剤層を縦方向中心線に沿って帯状に塗工してもいし、図１０（Ｂ）ないし図１０（Ｄ）に示した仮止めエンボス４５，４６，４７と同じパターンで塗工してもよい。また境界部Ｘ３と境界部Ｘ４との中点においてのみ、表面シート２３と接続シート３４を、仮固定手段で仮固定してもよい。
【００８３】
前記隆起部３の膣対向基準線Ｘ１と後方基準線Ｘ２との間で立ち上がっている部分では、横方向からの圧力を受け、その圧力を除去したときに回復できることが好ましい。例えば、膣対向基準線Ｘ１と後方基準線Ｘ２との間の中点において、図４に示す隆起部３を左右から押圧して、隆起部３を本体部２の肌側表面から垂直に立ち上がる平坦状態とし、その後に前記押圧力を除去したときに、隆起部３の両側壁の間隔が、加圧前の５０％以上に回復することが好ましく、６０％以上に回復することがさらに好ましい。また、前記押圧箇所を平坦に押しつぶすのに要する圧力は２０Ｎ／ｃｍ２以下であることが好ましい。
【００８４】
本体部２から立ち上がっている隆起部３を平坦にするのに要する圧力が前記範囲以下であれば、この隆起部３が臀裂部６１内に入り込んだ状態で、臀裂部の押圧力で隆起部３を抵抗なく押しつぶすことができ、隆起部３が臀裂部６１に違和感を与えにくくなる。また加圧時の回復率が前記範囲であると、歩行時などにおいて臀裂部６１の内幅が変化したときにも、隆起部３の外面が臀裂部６１の内面に密着した状態を維持できる。
【００８５】
前記実施の形態の生理用ナプキン１では、図７に示すように、隆起部３を形成する外側シート３１に、摩擦増加手段として、細かな凹凸が賦形されている。この摩擦増加手段の他の例としては、外側シート３１を、熱処理で倦縮状態が進行する繊維で形成してもよい。例えば前記繊維で形成されたスルーエア不織布を使用することができる。前記繊維は、例えば融点の相違する２種の合成樹脂で形成されたサイドバイサイド型複合合成繊維などである。この不織布を熱処理して、繊維の倦縮を進行させることにより、表面に細かな皺を発生させることができる。また、外側シート３１を、表面に多数の微細繊維を静電植毛法で植毛した植毛不織布で形成してもよい。
【００８６】
または、外側シート３１の外面に粘着性樹脂、例えばウレタン樹脂をフィルム状、ネット状にして積層したものであってもよい。あるいは、外側シート３１の表面に、滑り止め剤を塗工してもよい。滑り止め剤は、スチレン−エチレン−ブチレン−スチレンのブロック共重合体（ＳＥＢＳ）、スチレン−エチレン−プロピレン−スチレンのブロック共重合体（ＳＥＰＳ）などように、肌への刺激の少ないものを使用することが好ましい。前記滑り止め剤は、水添された炭化水素系樹脂を４０〜６０％とプロセスオイルを５〜１５％含む粘着剤であってもよい。
【００８７】
隆起部３の外面に現れる外側シート３１は、肌への刺激を与えにくいものがよく、繊度が４ｄｔｅｘ以下の繊維で形成されることが好ましい。またドレープ性のある不織布が好ましく、第１の実施の形態で説明したスルーエア不織布の他に、ポイントボンド不織布、スパンレース不織布、スパンボンド不織布、さらには多数の液透過孔を有する樹脂フィルム、または樹脂フィルムと不織布との複合材料で形成することができる。隆起部３を形成している外側シート３１と内側シート３２の少なくとも一方が、液吸収性を有するものであってもよい。例えば、親水性繊維で形成されたスパンレース不織布、パルプをバインダーで接合したエアーレイド不織布、パルプと合成樹脂繊維をバインダーで接合したエアーレイド不織布、さらにはパルプを圧縮したシートパルプも使用可能である。エアーレイド不織布やシートパルプを使用する場合、エンボス加工により強度を高め、本体部２から隆起部３が分離する際に、シートの破断を生じないようにすることが好ましい。
【００８８】
また、前記第１の実施の形態では、図４と図５に示すように隆起部３の頂部３ａにのみ糸状の弾性部材３３が１本設けられているが、この弾性部材が複数本設けられていてもよく、頂部３ａ以外の部分に設けられていてもよい。または、糸状の弾性部材３３の代わりに、弾性伸縮性の不織布を外側シート３１と内側シート３２の少なくとも一方として使用したり、フィルム状やネット状の弾性部材と不織布とを接着した素材で隆起部３を形成してもよい。
【００８９】
第１の実施の形態では、隆起部３が、弾性部材３３の弾性収縮力によって本体部２の肌側表面から立ち上がるものであるが、本発明での隆起部は、弾性部材の弾性収縮力で立ち上がるものに限られるものではなく、例えば、繊度が４ｄｔｅｘ以上の繊維で形成された目付けが４０〜１００ｇ／ｍ２の嵩高のスルーエア不織布で隆起部３が形成することができる。あるいは、前記スルーエア不織布が複数枚重ねに折り畳まれたものであってもよい。または、隆起部３が、ポイントボンド不織布、スパンレース不織布、スパンボンド不織布にエンボス加工を施し凹凸形状を賦形して嵩高としたもの、またはこれら折り畳みまたは積層したものであってもよいし、エアーレイド不織布やシートパルプを重ねるなどして、隆起部３を形成してもよい。
【００９０】
次に、本発明の生理用ナプキンの他の実施の形態を説明する。
以下の他の実施の形態において、第１の実施の形態と同じ構造部分には同じ符号を付して詳しい説明を省略する。
【００９１】
図１３は、本発明の第２の実施の形態の生理用ナプキン１０１を示すものであり、図４と同様に仮固定領域４３の部分で切断した断面図である。
【００９２】
この生理用ナプキン１０１と第１の実施の形態の生理用ナプキン１との違いは、本体部２の液吸収層２２の肌側表面に位置する表面シート１２３が、液透過性であり、この表面シート１２３が筒状に形成された積層シート３０の表面を覆っている。また仮固定領域４３において、接続シート３４が液吸収層２２の肌側表面に仮固定され、前方本固定領域４１と後方本固定領域４２において、接続シート３４と液吸収層２２とが本固定されている。この場合、接続シート３４は、液吸収層２２においてパルプを包む親水紙や不織布に仮固定され、且つ本固定されていることが好ましい。この生理用ナプキン１０１では、表面シート１２３が、本体部２の一部を構成するとともに、表面シート１２３が、隆起部３の構成部材のひとつとなっている。
【００９３】
本体部２と隆起部３との間に相反する方向の力が作用し、仮固定領域４３において、積層シート３０で形成された筒体および接続シート３４が本体部２から分離されたときに、これらは、表面シート１２３の内部において左右に移動するため、筒体および接続シート３４が、本体部２の肌側表面から極端に浮き上がるのを防止できる。
【００９４】
図１４は本発明の第３の実施の形態の生理用ナプキン２０１を示すものであり、図４と図１３と同様に仮固定領域４３で切断した断面図である。
【００９５】
隆起部３は、液透過性の内側シート２３２と、その外側を覆う液透過性の外側シート２３１とで形成されており、外側シート２３１は内側シート２３２とホットメルト型接着剤で接着されており、さらに外側シート２３１の両側部は、本体部２において液吸収層２２の肌側表面に接着されている。
【００９６】
仮固定領域４３においては、隆起部３の両側壁の下部において、内側シート２３２と外側シート２３１に、切り込み２４４が形成され、この切り込み２４４は、縦方向へ間隔を空けてミシン目状に形成されている。なお、前方本固定領域４１と後方本固定領域４２には、前記切り込み２４４が形成されていない。この実施の形態では、前記切り込み２４４が仮固定手段を構成している。
【００９７】
この生理用ナプキン２０１では、本体部２と隆起部３に左右方向へ互いに異なる方向への力が作用したときに、仮固定領域４３において、切り込み２４４と切り込み２４４との間で、内側シート２３２と外側シート２３１とが破断し、隆起部３が本体部２と独立して動けるようになる。
【００９８】
図１５は本発明の第４の実施の形態の生理用ナプキン３０１を外力が作用していない状態で示す斜視図、図１６は、本体部２と接続シート３３４を平坦な状態で示した平面図である。
【００９９】
生理用ナプキン３０１の本体部２は、第１の実施の形態の生理用ナプキン１と同じ構造である。隆起部３０３は、第１の実施の形態の生理用ナプキン１と同様に、筒状に形成した積層シート３０と弾性部材３３および接続シート３３４とで構成されている。なお隆起部３０３に、弾性部材３３が設けられていなくてもよい。
【０１００】
図１６に示すように、境界部Ｘ３から前縁部４までの間が本固定領域３４１であり、この本固定領域３４１において、接続シート３３４と本体部２の表面シート２３とが本固定されている。また、境界部Ｘ３から後縁部５までの全域が仮固定領域３４３であり、この仮固定領域３４３では、本体部２の表面シート２３と接続シート３３４とが、図１０（Ｂ）に示したのと同じ間隔を空けて配列された仮止めエンボス４５において熱シールにより仮固定されている。
【０１０１】
隆起部３は後端部５よりも後方へ突出し、筒状の積層シート３０および接続シート３３４が、平坦に潰されてシール部３０３ａにおいて熱シールされている。隆起部３のうちの前記後端部５から後方へ突出している部分が摘み部３０４であり、この摘み部３０４は、本体部２に固定されていない。
【０１０２】
図１７（Ａ）（Ｂ）は、前記生理用ナプキン３０１を装着する操作の一例を示す説明図である。
【０１０３】
図１７（Ａ）に示すように、生理用ナプキン３０１の本体部２を下着５５のクロッチ部の内面に固定し、下着５５と共に生理用ナプキン３０１を身体６０の股間部に装着する。隆起部３０３を臀裂部に位置決めし、隆起部３０３を臀裂部内に介入させた後に、下着５５内に手を入れ、摘み部３０４を下着５５から離れる方向に引き、仮固定領域３４３における接続シート３３４と本体部２との仮固定を解除し、境界部Ｘ３よりも後方において隆起部３０３を自由状態とする。
【０１０４】
その後は下着５５と共に本体部２が動いても、隆起部３０３が臀裂部内に入り込んだ状態を維持できる。
【０１０５】
図１８は本発明の第５の実施の形態の生理用ナプキン４０１を外力が作用していない状態で示す斜視図、図１９は、本体部２を平坦な状態で示した平面図である。図２０は、図１８を膣対向基準線Ｘ１の部分で切断したＸＸ−ＸＸ線の断面図、図２１は、図１８を臀裂部対向部で切断したＸＸＩ−ＸＸＩ線の断面図である。
【０１０６】
この生理用ナプキン４０１では、隆起部４０３の全体が本体部２の肌側表面に仮固定されている。図１９に示すように、本体部２の肌側表面と隆起部４０３とは、仮固定領域４４３において、ホットメルト型の感圧接着剤層４４４を介して仮固定されている。
【０１０７】
図２０と図２１に示すように、隆起部４０３は、外側シート４３１が保水性の良いスパンレース不織布で形成され、内側シート４３２が、立体形状を維持しやすいように太い繊維で大きな目付けで形成された不織布で形成されている。この不織布は、例えば芯部がポリプロピレン樹脂で鞘部がポリエチレン樹脂の芯鞘型複合合成繊維で、繊度が５．５ｄｔｅｘのもので形成された目付けが６０ｇ／ｍ２のスルーエア不織布である。内側シート４３２は筒状に形成されて縁部どうしがホットメルト型接着剤４３６で接着され、外側シート４３１も筒状に形成されて縁部どうしがホットメルト型接着剤４３７で接着されている。そして外側シート４３１が前記感圧接着剤層４４４によって、本体部２の肌側表面に仮固定されている。
【０１０８】
図２０に示すように、隆起部４０３の膣口に対向する部分では、３箇所において、内側シート４３２の内面どうしがホットメルト型接着剤４３８と４３９で接着され平坦な状態を維持できるようにしている。図２１に示すように、臀裂対向部では、縦方向中心線に沿うように、内側シート４３２の内面どうしがホットメルト型接着剤４３８で接着されて、ほぼ三角形状の立体形状を保っている。
【０１０９】
この生理用ナプキン４０１では、隆起部４０３の内側シート４３２が剛性を有しているため立体形状を保つようになり、隆起部４０３の後方部分が臀裂部内に入り込みやすい。装着時に、本体部２と隆起部４０３との間に、横方向への相反する力が作用したときに、感圧接着剤層４４４による仮固定が解除され、隆起部４０３の一部または全部が本体部２から分離される。
【０１１０】
なお、前記各実施の形態の生理用ナプキンは、主に隆起部の臀裂部に入り込む部分が仮固定領域において本体部２に仮固定されているが、本発明では、隆起部のうちの膣口の凹部内に入り込む部分や、会陰部または肛門の凹部に入り込む部分が、仮固定手段によって本体部に仮固定されているものであってもよい。
【図面の簡単な説明】
【０１１１】
【図１】本発明の第１の実施の形態の生理用ナプキンの自由状態を示す斜視図、
【図２】前記第１の実施の形態の生理用ナプキンの本体部と接続シートを平面状に展開した状態を肌側表面から示す平面図、
【図３】図１のＩＩＩ−ＩＩＩ線の断面図、
【図４】図１のＩＶ−ＩＶ線の断面図、
【図５】図１のＶ−Ｖ線の断面図、
【図６】図４と同じ部分の断面を示す断面斜視図、
【図７】隆起部の一部を示す部分拡大斜視図、
【図８】（Ａ）は第１の実施の形態の生理用ナプキンを外力が作用していない状態で示す側面図、（Ｂ）は第１の実施の形態の生理用ナプキンの隆起部の一部が本体部と分離された状態を示す側面図、
【図９】（Ａ）は仮固定手段の仮止めエンボスを示す平面図、（Ｂ）は（Ａ）のＢ−Ｂ線の断面図、
【図１０】（Ａ）（Ｂ）（Ｃ）（Ｄ）は仮固定手段の仮止めエンボスの他の例を示す平面図、
【図１１】（Ａ）（Ｂ）（Ｃ）（Ｄ）（Ｅ）（Ｆ）は、身体の動きと生理用ナプキンの挙動とを説明する説明図、
【図１２】生理用ナプキンの本体と、臀裂部に介入した隆起部との分離動作を示す拡大断面図、
【図１３】本発明の第２の実施の形態の生理用ナプキンを示す断面図、
【図１４】本発明の第３の実施の形態の生理用ナプキンを示す断面図、
【図１５】本発明の第４の実施の形態の生理用ナプキンの自由状態を示す斜視図、
【図１６】第４の実施の形態の生理用ナプキンの本体部を平面状とした平面図、
【図１７】（Ａ）（Ｂ）は、第４の実施の形態の生理用ナプキンの装着動作の一例を示す説明図、
【図１８】本発明の第５の実施の形態の生理用ナプキンの自由状態を示す斜視図、
【図１９】第５の実施の形態の生理用ナプキンの本体部を平面状とした平面図、
【図２０】図１８のＸＸ−ＸＸ線の断面図、
【図２１】図１８のＸＸＩ−ＸＸＩ線の断面図、
【図２２】仮固定手段の剥離強度の測定方法を示す説明図、
【符号の説明】
【０１１２】
１  生理用ナプキン
２  本体部
３  隆起部
２１  裏面シート
２２  液吸収層
２３  表面シート
２４  側部シート
３０  積層シート
３１  外側シート
３２  内側シート
３３  弾性部材
３４  接続シート
４１  前方本固定領域
４２  後方本固定領域
４３  仮固定領域
４４，４４ａ，４４ｂ，４５，４６，４７  仮止めエンボス
５１  圧縮溝
５５  下着
６０  身体
６１  臀裂部
１０１  生理用ナプキン
１２３  表面シート
２０１  生理用ナプキン
２３１  外側シート
２３２  内側シート
２４４  切り込み
３０１  生理用ナプキン
３０３  隆起部
３０４  摘み部
３３４  接続シート
３４１  本固定領域
３４３  仮固定領域
４０１  生理用ナプキン
４０３  隆起部
４４３  仮固定領域
４４４  感圧接着剤層
【図１】
2006341012.tif 000003
【図２】
2006341012.tif 000004
【図３】
2006341012.tif 000005
【図４】
2006341012.tif 000006
【図５】
2006341012.tif 000007
【図６】
2006341012.tif 000008
【図７】
2006341012.tif 000009
【図８】
2006341012.tif 000010
【図９】
2006341012.tif 000011
【図１０】
2006341012.tif 000012
【図１１】
2006341012.tif 000013
【図１２】
2006341012.tif 000014
【図１３】
2006341012.tif 000015
【図１４】
2006341012.tif 000016
【図１５】
2006341012.tif 000017
【図１６】
2006341012.tif 000018
【図１７】
2006341012.tif 000019
【図１８】
2006341012.tif 000020
【図１９】
2006341012.tif 000021
【図２０】
2006341012.tif 000022
【図２１】
2006341012.tif 000023
【図２２】
2006341012.tif 000024